【事件の表示】
　平成１０年特許願第１７６６０５号「パチンコ機」拒絶査定に対する審判事件［平成１０年１１月２４日出願公開、特開平１０−３０９３５０］について、次のとおり審決する。
【結　論】
　本件審判の請求は、成り立たない。
【理　由】
第一．手続の経緯・本願発明　　
　本願は、平成３年１月２８日に出願した特願平３−２７９５３号の一部を平成１０年６月８日に新たな特許出願としたものであって、特許請求の範囲に記載された請求項１乃至２に係わる発明は、当審で通知した平成１４年６月２１日付拒絶理由通知に対応して提出された、平成１４年９月１７日付手続補正書の請求項１乃至２に記載されたとおりのものと認めるところ、請求項１に記載された発明（以下「本願発明１」という）は、以下のとおりである。　
　「遊技盤に設けられ且つ特別装置作動領域を含む複数の通過領域が形成された特別入賞装置と、該特別入賞装置に誘導された打球が前記特別装置作動領域を通過したときに作動開始すると共に再度特別装置作動領域を打球が通過したとき又は前記遊技盤に設けられる始動入賞口に所定個数の打球が入賞したときに作動終了する特別装置と、該特別装置の作動中に前記始動入賞口に打球が入賞する毎に所定の態様で開放駆動される変動入賞装置と、を備えたパチンコ機において、
前記変動入賞装置側へめがけて発射された打球が前記始動入賞口に入賞しやすくなるように前記始動入賞口の直下に前記変動入賞装置を配置し、
し、
前記打球受入機構には、１の打球を前記始動入賞口への受入前に待機させる構成を備えた
　　
　
第二．特許法第２９条第２項の検討
　［Ａ］．当審で通知した、拒絶理由に引用した刊行物１〜２記載事項
　　（１）．特開平１−２５６９８７号公報（以下「刊行物１」という）には以下の旨が記載されている。　　
　　　（１−１）．「回転体１５７には、前記玉入口１５６から流入した打玉を受け入れるように構成される玉受部１５８が後方に向けて突設されている。また、回転体１５７は、その回転軸１５９の後端に駆動モータ１６０が連結され、これにより回転体１５７を常に一定速度で回転させている。
　また、回転体１５７左右両側には、前記枠部材１５５を切り欠いて形成した特定入賞口１６１と通常入賞口１６２とが配設されている。この特定入賞口１６１へ打玉が誘導されるためには、玉入口１５６から玉受部１５８にタイミングよく収納されることが必要であり、仮に、玉入口１５６から玉受部１５８に収納されない場合には、該打玉は、回転体１５７の下方位置に落下して、玉受部１５８の外側面で押し挙げられて通常入賞口１６２に誘導されることになる。」（第１５頁右上欄第８行〜同頁左下欄第３行）
　　　（１−２）．「上記のような構造から成る可変入賞球装置１５２は、遊技領域１２を落下してきた打玉が玉流入口１５４から玉入口１５６に至り、しかも玉受部１５８にタイミングよく受け入れられて特定入賞口１６１に入賞すると、特定入賞玉検出器１６３が作動して、権利発生の条件が成立した状態となる。このような状態で、遊技領域１２を落下する打玉が始動入賞玉受口１５０ａ，１５０ｂに入賞すると、特定遊技状態となり、玉受部材を一定時間（例えば、１０秒）が経過するまで、又は一定個数（例えば、１０個）の入賞玉が発生するまで開放状態を続けるようになっている。そして権利発生の条件が成立している限り、始動入賞玉受口１５０ａ，１５０ｂに打玉が入賞する毎に上記の開放状態を最高８回まで継続することができるようになっているが、その継続回数の途中であっても、再度特定入賞口１６１に打玉が入賞したときや、始動入賞玉受口１５０ａ，１５０ｂに合計８個の打玉が入賞したときには、上記した権利発生の条件が解消されてしまうものである。」（第１５頁右下欄第１６行〜第１６頁左上欄第１５行）　　
　　　（１−３）．「以上のように、この割込ルーチンにおいては、大当り権利発生中には、玉受部材１６４ａ，１６４ｂが開放している状態では、打玉貯留装置６０に貯留されている打玉は開放処理されず、玉受部材の１６４ａ，１６４ｂの開放状態が終了すると、開放処理されるようになっている。このため、始動入賞玉受口１５０ａ，１５０ｂに対して無制限に連続して打玉が入賞することなく、玉受部材１６４ａ，１６４ｂの予め定められた開成回数をほぼ確実に達成することができる。」（第１７頁右上欄第１〜１０行）　
　　　（１−４）．「以上、説明したように、この第３実施例の場合には、玉受部材１６４ａ，１６４ｂが開成状態にあるときには、打玉貯留装置６０に貯留されている打玉が放出されないようになっているので、１回又は２回という当初における開成状態中に連続して設定記憶数（７個）を超えるような打玉が始動入賞玉受口に入賞して権利発生状態を解消するような不都合がなく、遊技客に不満を与えることがない。」（第１９頁左上欄第５〜１３行）　
　　　（１−５）．してみると、刊行物１には以下に記載する発明（以下「引用発明」という）が記載されていることとなる。
　すなわち、可変入賞装置１５２は、特定入賞口１６１、通常入賞口１６２、玉受部材１６４ａ，１６４ｂ等から構成され、特定入賞口１６１に入賞すると、権利発生状態になり、このような状態で始動入賞玉受口１５０ａ、１５０ｂに入賞すると、玉受部材１６４ａ、１６４ｂが一定時間開放され、また、当該権利発生状態が継続中に、再度特定入賞口１６１に入賞した場合、及び始動入賞玉受口１５０ａ、１５０ｂに８個入賞した場合は権利発生の条件が解消されるパチンコ機において、始動入賞玉受口１５０ａ、１５０ｂは可変入賞装置の下方に配置され、しかも、玉受部材１６４ａ、１６４ｂが開成状態の場合は、打玉貯留装置６０に貯留された打玉が始動入賞玉受口１５０ａ、１５０ｂ入賞しない手段を備えたパチンコ機。
　　　
　　（２）特開昭６３−２６２１６９号公報（以下「刊行物２」という）には、以下の旨記載されている。　
　　　（２−１）．「一定のゲーム結果により権利発生信号を出力する権利発生手段は、電気的な権利発生信号を出力する可変表示装置や入賞装置であってもよいし、権利発生信号を機械的な動力伝達の形で出力する通常の入賞装置であってもよい。」（第２頁右上欄第１４〜１９行）　　
　　　（２−２）．「球排出装置２５は、モータＭにより軸２７を中心として第２図の矢印方向に常時回転される回転盤２６と、この回転盤２６を左右から囲む湾曲した案内枠２８とを有する。回転盤２６の周面の１箇所には、球１個分の凹部から成る球保持部２６Ａが設けてある。　　
　回転盤２６は、モータＭにより第２図の矢印方向に常時一定速度（この実施例では１０ｒｐｍ）で回転しており、その球保持部２６Ａが入賞球貯留部２１の貯留球待機部２３Ａと一致したときに、該貯留球待機部２３Ａ内に待機している入賞球を、球保持部２６Ａ内に取り込む。この球保持部２６Ａ内に取り込まれた入賞球は、球保持部２６Ａと案内枠２８との間で案内されつつ下方に導かれ、案内枠２８の下部に設けた導出口２９より下方に落下する。」（第４頁左上欄第１７行〜同頁右上欄第１２行）　　
　　　（２−３）．（イ）通常遊技状態の動作の欄に「・・・、特定入賞口９のいずれかに打球が入賞し検出器ＳＷ１、ＳＷ２で検出されると（第１１図のａ点）、可変表示装置３が始動する。・・・。３桁のデジタル表示器１２の表示内容が、所定の組合せ（ここでは奇数数字のゾロ目）に一致しているかどうか判断される。もし所定の組合せに一致していれば、次に述べる大当りとしての特別遊技態様の「権利発生」となり、権利発生表示部６４，６５の点灯と下記の動作がなされるが、」（第６頁右上欄第１行〜同頁左下欄第４行）
　　　（２−４）．（ロ）特別遊技状態での動作の欄に　　
　　　（ａ）．「第１１図には、デジタル表示が７７７と揃ったことにより、特別遊技態様の権利が発生した例を示してある。・・・。そして、幸いにして第１変動入賞装置４に打球が入賞すると、第２変動入賞装置６の開成動作が約束される。」（第６頁左下欄第１５行〜同頁右下欄第１０行）　　
　　　（ｂ）．「第１変動入賞装置４に飛び込んだ打球は、第１状態下にある左右の開閉翼１４，１４間を通過し、下方の入賞球貯留部２１に貯留される。貯留球待機部２３Ａに貯留待機されている入賞球は、１０ｒｐｍで常時回転している回転盤２６の球保持部２６Ａ内に取り込まれ、下方に送られて導出口２９から釈放される。このようにして球排出装置２５から、入賞球貯留部２１の入賞球が１個宛自動的に６．０秒という一定間隔で払い出され、カウント検出器ＳＷ３によって検出される。」（第６頁右下欄第１２行〜第７頁左上欄第１行）　　
　　　（ｃ）．「他の実施例１　　　第１６図は、球排出装置２５により排出された球を検出する度に、第２変動入賞装置６を開成動作させる例を示す。ここでは、回転盤２６の回転間隔２Ｔを１２．０秒とし、第２変動入賞装置６の開成時間５．８秒より長いという条件を満している。・・・。この第２変動入賞装置６の開成動作期間は、排出周期の半分であるから、第２変動入賞装置６は次の排出球が検出される前に一旦閉じて再度開くという変換動作を繰返すことになる。」（第１１頁右上欄第１行〜同頁左下欄第５行）　
　　　（２−５）．してみると、刊行物２には、以下の事項が記載されている。
　すなわち、
　特定入賞口に入賞して特別遊技状態の権利が発生した後、第１変動入賞装置４に打球が入賞すると、第２変動入賞装置６の開成動作が約束され、当該開成動作は球排出装置２５にて、入賞した打球が入賞球貯留部２１に貯留され、常時回転している回転盤２６の球保持部２６Ａに取り込まれて所定間隔で排出される。
　そして、その排出間隔を第２変動入賞装置６の開成動作期間の２倍とすることで、第２変動入賞装置６は次の排出球が検出する前に一旦閉じて再度開く動作とすること。
　また、第２変動入賞装置６は、第１図より球排出装置２５、検出スイッチＳＷ３の直下に配置されていること。　　
　　　
　［Ｂ］本願発明１と引用発明との対比　
　　本願発明１において、「遊技盤に設けられ且つ特別装置作動領域を含む複数の通過領域が形成された特別入賞装置と、該特別入賞装置に誘導された打球が前記特別装置作動領域を通過したときに作動開始すると共に再度特別装置作動領域を打球が通過したとき又は前記遊技盤に設けられる始動入賞口に所定個数の打球が入賞したときに作動終了する特別装置と、該特別装置の作動中に前記始動入賞口に打球が入賞する毎に所定の態様で開放駆動される変動入賞装置と、を備えたパチンコ機において、」迄の構成は、法令上第３種のパチンコとして規定されている構成、作用、すなわち、「特別装置（その作動が第３種特別電動役物の作動に必要な条件とされている装置で、遊技球が特別装置作動領域を通過した場合に作動するものをいう。その作動中に遊技球が特別装置作動領域を通過したとき、又は第３種始動口に１６個を超えない数のうちからあらかじめ定められた数の遊技球が入賞したときはその作動を終了するものであること。）」、「特別装置作動領域（第３種始動口以外の特定の入賞口内の特定の領域をいう。）」、「第３種始動口（第３種特別電動役物を作動させることとなる遊技球の入賞に係る入賞口をいう。））」、「第３種特別電動役物（電動役物のうち、大入賞口の入口を開き、又は拡大するもので、遊技球が特定の入賞口に入賞した場合に作動するものをいう。１回の作動による大入賞口の入口の開放等の時間は、１０秒間を超えるものでないこととし、また、当該大入賞口の入口の開放等は、おおむね１０個の遊技球の入賞により終了するものであること。）」に各々対応する構成、すなわち、「特別装置」、「特別装置作動領域」、「始動入賞口」、「変動入賞装置」を備え、当該作動領域を通過した場合に、特別装置が「作動」し、当該作動中に当該作動領域を通過するか、又は始動入賞口に所定数の打球が入賞したときは「作動を終了する」等の文言、作用から、第３種のパチンコ機に相当する旨主張しているので当該「おいて、」迄の構成は周知の構成である。
　すると、前記刊行物１にも、第３種パチンコ機の「特別装置」、「特別装置作動領域」、「第三種始動口」、「第３種特別電動役物」に各々相当する「権利発生状態」を奏する装置、「特定入賞口」、「始動入賞玉受口」、「玉受部材」及び同様作用が記載されているから、刊行物１に記載された発明も第３種のパチンコ機となり、当該「おいて、」迄の周知の構成が記載されていることは明らかである
　してみると、本願発明１と引用発明とは以下の点で相違する。
　　相違点（ア）．始動入賞口と変動入賞装置との配置関係について、本願発明１では、「変動入賞装置側へめがけて発射された打球が前記始動入賞口に入賞しやすくなるように前記始動入賞口の直下に前記変動入賞装置を配置し、」とされているのに対し、引用発明では、本願発明１の始動入賞口、及び変動入賞装置に各々対応する、始動入賞玉受口、打玉貯留装置、及び玉受部材との配置関係は、第１６図より判断して玉受部材の下方に始動入賞玉受口、打玉貯留装置が配置されている点
　　相違点（イ）．始動入賞口への打球の受入と変動入賞装置の開放とを交互に実行する手段として、前者は「始動入賞口には、該始動入賞口への打球の受入と前記変動入賞装置の開放とが交互に実行されるような周期で打球を受け入れ、かつ常時動作することが可能な打球受入機構を内蔵し、　前記打球受入機構には、１の打球を前記始動入賞口への受入前に待機させる構成」であるのに対し、後者における当該手段の具体的構成はそのような構成となっていない点
　　［Ｃ］相違点の検討　
　　相違点（ア）について、　
　　第３種パチンコ機の構成要素である、第３種始動入賞口、第３種特別電動役物に各々相当する、本願発明１の始動入賞口、変動入賞装置は遊技盤に配置しなければならないものであるから、その配置箇所は、始動入賞口を基準に考えれば、変動入賞装置は始動入賞口に対して前後左右方向の１を配置位置として選択することとなることは明らかであり、特に始動入賞口の直下としたことによる作用効果は格別のものとは認められない。
　すなわち、始動入賞口の直下に変動入賞装置を配置して、変動入賞装置を狙えば始動入賞口に入る可能性は高くなり、逆に始動入賞口が変動入賞装置への入賞の邪魔となって入賞可能性が低くなることは当業者にとっては予測の範囲内のことである。
　したがって、始動入賞口の直下に前記変動入賞装置を配置することは当業者が適宜なし得る程度の事項である。
　さらには、刊行物２においても、本願発明１の始動入賞口の打球受入機構に相当する球排出装置２５、始動入賞口の打球を検出するスイッチＷ３等の構成、すなわち、打球受入機構を内蔵した始動入賞口に相当する構成に対して、本願発明１の変動入賞装置に相当する第２変動入賞装置をその直下に配置することが示されているから、当該配置を採用することは当業者が容易に為し得る程度の事項である。
　してみると、当該相違点は、当業者が適宜選択できる程度の事項、又は、刊行物２の記載に基づいて当業者が容易に為し得る程度の事項である。
　したがって、当該相違点は格別のものではない。
　　　
　相違点（イ）について、
　　刊行物２には、本願発明１における打球受入機構に相当する球排出装置２５、及び、球排出装置２５には、１の打球を貯留球待機部２３Ａに待機させることが第４図に示され、当該貯留球待機部２３Ａは、本願発明１における１の打球を始動入賞口への受入前に待機させる構成に相当するものであるが、当該貯留球待機部２３Ａは、複数の打球が貯留できる入賞球貯留部２１と繋がっている点で相違する。
　しかしながら、当該入賞球貯留部２１に貯留される打球は、零の場合、１の場合等種々の場合が存在し、待機する数を１に限定することによる作用効果は予測の範囲内のことで格別のものとは認められないから、当該待機する打球の数をいくつにするかは当業者が適宜設定し得る設計的事項であると認める。
　してみると、刊行物１における、始動入賞口への打球の受入と変動入賞装置の開放とを交互に実行する手段として、刊行物２記載の打球受入機構を設計的変更を加えて代替適用することは、当業者が容易に為し得る程度の事項であると認める。
　したがって、当該相違点も格別のものではない。
　　　
　　　
第三．むすび　
　　したがって、本願発明１は、前記刊行物１，２に記載された発明に基づいて当業者が容易に発明をすることができたものであるから、本願発明１は、特許法第２９条第２項の規定により特許を受けることができないものである。
　よって、結論のとおり審決する。